(57)【特許請求の範囲】
【請求項１】
矩形板状に形成されており、側縁部を当接させた状態で縦横に複数配列させて用いられ、水耕栽培用の栽培水槽の少なくとも底板部を形成すべく前記配列された状態で防水性のシートが被覆されて用いられる樹脂発泡ボードであって、
前記配列させるのに際して互いに連結させ得るように４つの側縁部の内の第一の側縁部には平面方向外方に突出する第一側縁突出部が形成されているとともに該側縁部と対向する第二の側縁部には前記第一側縁突出部と嵌合可能な第二側縁凹入部が形成され、
前記第一の側縁部には前記第一側縁突出部と嵌合可能な形状を有する第一側縁凹入部がさらに備えられ、該第一側縁凹入部と前記第一側縁突出部とが第一の側縁部の中心に対して対称となる位置に備えられており、且つ、前記第二の側縁部には前記第二側縁凹入部と嵌合可能な形状を有する第二側縁突出部がさらに備えられ、該第二側縁突出部と前記第二側縁凹入部とが第二の側縁部の中心に対して対称となる位置に備えられており、
前記第一側縁突出部と前記第二側縁突出部とが実質的に同形状で１８０度回転対称となるように備えられており、且つ、前記第一側縁凹入部と前記第二側縁凹入部とが実質的に同形状で１８０度回転対称となるように備えられ、
平面視略正方形に形成されており、前記第一の側縁部及び前記第二の側縁部以外の第三の側縁部及び第四の側縁部にも前記第一の側縁部及び前記第二の側縁部と実質的に同形状に形成された第三側縁突出部、第三側縁凹入部、第四側縁突出部、及び、第四側縁凹入部が備えられており９０度回転対称となる形状を有している樹脂発泡ボード。
【請求項２】
スチレン系樹脂発泡ビーズ製である請求項１記載の樹脂発泡ボード。
【発明の詳細な説明】
【技術分野】
【０００１】
本発明は、矩形板状に形成されている樹脂発泡ボードに関する。
【背景技術】
【０００２】
従来、浅底大面積の栽培水槽をベンチ状の架台で支持させて地面から浮かせて配置し、該栽培水槽の内部に植物の培養液を収容させるとともに貫通孔の設けられた板状の定植用浮遊体を前記培養液に浮かべ、前記貫通孔に植物の苗を保持させて該植物の育成を図る水耕栽培が広く行われている（下記特許文献１参照）。
このような水耕栽培は、多くの場合ビニールハウスや食品工場などの温度管理された建物内で行われており、前記培養液の温度も予め定められた温度に安定化させることが求められている。
このことから、例えば、下記特許文献２には、栽培水槽を樹脂発泡体で形成させることが記載されている（段落〔００１６〕参照）。
【先行技術文献】
【特許文献】
【０００３】
【特許文献１】特開２０１１−１４２９０２号公報
【特許文献２】特開平１０−２４３７４６号公報
【発明の概要】
【発明が解決しようとする課題】
【０００４】
近年、水耕栽培の技術の進歩とともに設備も大型化されるようになってきており、例えば、横幅が数ｍに及び、長さが１０ｍを超えて数十ｍに及ぶような大きさの栽培水槽が用いられたりしている。
しかし、大型化された栽培水槽を一旦据え付けてしまうと簡単に移動させることができなくなってしまうことから、このような栽培水槽の利便性を向上させることが求められるようになってきている。
【０００５】
このような要望に対し、一体物ではなく、組み立て式の栽培水槽を水耕栽培に用いることが考えられる。
例えば、作製する栽培水槽と同じ大きさとなるように１ｍ角程度の大きさ有する矩形板状の樹脂発泡ボードを縦横に複数枚ずつ配列して栽培水槽の底板部を形成させるとともに該底板部の外縁に沿って培養液を堰き止めるための外枠部となる部分を形成させ、これを大面積の黒色ポリオレフィン系樹脂からなる防水性シートなどで覆って水密性を付与し栽培水槽とするようなことが考えられる。
【０００６】
このようにして形成させた大型の栽培水槽は、少なくとも底板部が樹脂発泡ボードで形成されることから培養液の温度管理が容易である上に、組み立て分解が容易であることから移動やサイズ変更が容易な利便性に優れたものとなる。
一方でこの栽培水槽は、水密性が黒色ポリオレフィン系樹脂シートのような防水性のシートに依存するところが大きく、漏水を生じさせるおそれを有する。
なお、通常の状態であれば防水性シートが水圧で樹脂発泡ボードに押し付けられた状態になるために、当該防水性シートに、例えば、釘を刺すなどして穴が開けられたとしても、この穴が樹脂発泡ボードを貫通するようなものでない限り大きな漏水は生じにくいと考えられる。
ただし、樹脂発泡ボードと樹脂発泡ボードとの境界において防水性シートに破れを生じると樹脂発泡ボードに貫通孔を設けた場合と同じように大きく漏水させてしまうおそれを有する。
【０００７】
本発明は上記のような問題を解決すべくなされたもので、利便性に優れ、漏水を生じるおそれの抑制された栽培水槽の提供を課題としている。
【課題を解決するための手段】
【０００８】
本発明者は、上記課題を解決すべく鋭意検討を行ない、矩形板状の樹脂発泡ボードを単に配列して栽培水槽の底板部を形成させるのではなく、配列後に振動等によって樹脂発泡ボードどうしの間に隙間が形成されることを防止させることが漏水防止に有効であることを見出して本発明を完成させるに至った。
【０００９】
即ち、本発明は、矩形板状に形成されており、側縁部を当接させた状態で縦横に複数配列させて用いられ、水耕栽培用の栽培水槽の少なくとも底板部を形成すべく前記配列された状態で防水性のシートが被覆されて用いられる樹脂発泡ボードであって、前記配列させるのに際して互いに連結させ得るように４つの側縁部の内の第一の側縁部には平面方向外方に突出する第一側縁突出部が形成されているとともに該側縁部と対向する第二の側縁部には前記第一側縁突出部と嵌合可能な第二側縁凹入部が形成されている樹脂発泡ボードを提供する。
【発明の効果】
【００１０】
本発明の樹脂発泡ボードは、複数枚を配列した際に互いに連結可能な形状に形成されていることから振動等によって隣接する樹脂発泡ボードどうしの間に隙間が形成されることを抑制させ得る。
即ち、本発明によれば漏水等のトラブルを抑制させ得る。
【図面の簡単な説明】
【００１１】
【図１】一実施形態の樹脂発泡ボードの概略平面図。
【図２】一実施形態の樹脂発泡ボードを複数枚配列する様子を示した概略平面図。
【図３】一実施形態の樹脂発泡ボードを複数枚配列して栽培水槽の底板部を形成させる様子を示した概略平面図。
【図４】樹脂発泡ボードを切断して得られた切断体を、水耕栽培の栽培水槽の底板部の周囲を直線的なものに調整するための調整部材として用いる様子を示した概略平面図。
【図５】栽培水槽の形成に用いられている樹脂発泡ボードの様子を示した概略斜視図。
【図６】他実施形態の樹脂発泡ボードを示す概略平面図（ａ）、及び、（ａ）のＸ−Ｘ’線矢視概略断面図（ｂ）、及び、該樹脂発泡ボードを複数枚配列する様子を示した概略平面図。
【図７】一実施形態の樹脂発泡ボードを用いて栽培水槽の底板部を形成させる場合の第一の変形例を示した概略平面図。
【図８】一実施形態の樹脂発泡ボードを用いて栽培水槽の底板部を形成させる場合の第二の変形例を示した概略平面図。
【図９】他実施形態の樹脂発泡ボードを示す概略平面図（ａ）、及び、（ａ）のＺ−Ｚ’線矢視概略断面図（ｂ）。
【発明を実施するための形態】
【００１２】
本発明の実施の形態に関し、以下に図を参照しつつ説明する。
図１は、本実施形態の樹脂発泡ボードの形状を示した概略平面図であり、図２は、本実施形態の樹脂発泡ボードを複数枚配列する様子を示した概略平面図である。
また、図３は樹脂発泡ボードを複数枚配列して水耕栽培用の栽培水槽の底板部を形成させる様子を示した概略平面図であり、該図３においては、樹脂発泡ボードを半分、及び、４等分して底板部の外縁形状を整える様子を示している。
さらに、図４も樹脂発泡ボードを切断して底板部の外縁形状を整える様子を示す概略平面図で、図５は樹脂発泡ボードを複数枚配列して形成された栽培水槽の底板部と該底板部の外縁に沿って立設された外枠部とを備えた水槽本体の様子を示す斜視図である。
【００１３】
これらの図にも示されているように、本実施形態の樹脂発泡ボード１０は、矩形板形状に形成されており、縦横に複数配列されて水耕栽培用の栽培水槽の底板部を形成すべく用いられる。
なお、本実施形態の樹脂発泡ボード１０を用いて栽培水槽の本体（水槽本体）形状を形成させた後に実際に栽培水槽として用いるのに際しては、配列した樹脂発泡ボード１０どうしの間を通り抜けて培養液が漏洩しないように前記水槽本体全体に一枚の防水性のシート（図示せず）が被覆されて水密性が確保されることになる。
【００１４】
ここで、本実施形態の樹脂発泡ボード１０は、図１などに示すように、複数の樹脂発泡ボード１０を側縁部を当接させた状態で縦横に配列させるのに際して互いに連結させ得るように形成されているために、前記連結後に振動等が生じたとしても樹脂発泡ボード１０どうしの間に隙間が形成されにくく防水性シートが破損した際においても漏水が抑制されることになる。
【００１５】
本実施形態における樹脂発泡ボード１０は、４つの側縁部の内の第一の側縁部１０１（以下、「第一側縁部１０１」ともいう）に平面方向外方に突出する第一側縁突出部１１1が形成されているとともに該第一側縁部１０１と対向する第二の側縁部１０２（以下、「第二側縁部１０２」ともいう）には前記第一側縁突出部１１1と嵌合可能な第二側縁凹入部１２2が形成されて前記連結が可能となっている。
【００１６】
より詳しくは、本実施形態の樹脂発泡ボード１０は、前記第一側縁突出部１１1と嵌合可能な形状を有する第一側縁凹入部１２1が前記第一側縁部１０１にさらに備えられており、且つ、前記第二側縁凹入部１２2と嵌合可能な形状を有する第二側縁突出部１１2が前記第二側縁部１０２にさらに備えられている。
さらに詳細に説明すると、前記第一側縁部１０１には、前記第一側縁突出部１１1と前記第一側縁凹入部１２1とが第一側縁部１０１の長さ方向の中心に対して対称となる位置に備えられており、且つ、前記第二側縁部１０２には、前記第二側縁突出部１２1と前記第二側縁凹入部１２2とが第二の側縁部の長さ方向の中心に対して対称となる位置に備えられている。
【００１７】
この樹脂発泡ボード１０には、前記第二側縁部１０２に備えられている第二側縁凹入部１２2と実質的に同形状に形成された第一側縁凹入部１２1が前記第一側縁部１０１に備えられているとともに前記第二側縁部１０２には前記第一側縁部１０１に備えられている第一側縁突出部１１1と実質的に同形状に形成された第二側縁突出部１１2が備えられている。
そして、本実施形態の樹脂発泡ボード１０は、１８０度回転させた際に、回転前に第二側縁突出部１１2と第二側縁凹入部１２2とが存在していた位置に第一側縁突出部１１1と第一側縁凹入部１２1とが位置するように形成されている。
即ち、本実施形態の樹脂発泡ボード１０は、第一側縁部１０１と第二側縁部１０２との形状が１８０度回転対称となるように形成されている。
【００１８】
さらに、本実施形態の樹脂発泡ボード１０には、前記第一側縁部１０１及び前記第二側縁部１０２以外の第三の側縁部１０３（以下、「第三側縁部１０３」ともいう）及び第四の側縁部１０４（以下、「第四側縁部１０４」）にも前記第一側縁部１０１及び前記第二側縁部１０２と実質的に同形状に形成された第三側縁突出部１１3、第三側縁凹入部１２3、第四側縁突出部１１4、及び、第四側縁凹入部１２4が備えられており、該樹脂発泡ボード１０は、平面視略正方形で９０度回転対称となる形状を有している。
即ち、本実施形態の樹脂発泡ボード１０は、図１において反時計回りに９０度回転させた際には、回転前に第三側縁部１０３において第三側縁突出部１１3と第三側縁凹入部１２3とが存在していた位置に第一側縁突出部１１1と第一側縁凹入部１２1とが位置するように形成されているとともに回転前に第四側縁部１０４において第四側縁突出部１１4と第四側縁凹入部１２4とが存在していた位置に第二側縁突出部１１2と第二側縁凹入部１２2とが位置するように形成されている。
【００１９】
なお、以下においては、第一側縁突出部１１1、第二側縁突出部１１2、第三側縁突出部１１3、及び、第四側縁突出部１１4を単に突出部１１ともいう。
また、以下においては、第一側縁凹入部１２1、第二側縁凹入部１２2、第三側縁凹入部１２3、及び、第四側縁凹入部１２4を単に凹入部１２ともいう。
【００２０】
本実施形態の樹脂発泡ボード１０は、スチレン系樹脂発泡ビーズによって前記矩形板状に形成されたもので、いわゆる“発泡スチロール”（ＥＰＳ）製の樹脂発泡ボードであり、前記突出部１１や前記凹入部１２などの形状もビーズ発泡成形に用いる成形型によって形成されたものである。
【００２１】
より詳しくは、本実施形態の樹脂発泡ボード１０は、その中央部から突出部１１にかけて厚みを均一化させており、該突出部１１と嵌合可能な前記凹入部１２は当該樹脂発泡ボード１０を厚み方向に貫通するような形で形成されている。
なお、前記突出部１１は、配列した樹脂発泡ボードどうしの離間を防止して、側縁部を当接させた連結状態を維持させうるように突出方向基端側の形成幅（Ｗ０）よりも突出方向先端側の最大幅（Ｗ１）の方が広幅（Ｗ１＞Ｗ０）となって形成されており、前記凹入部１２も凹入方向奥側の方が広幅となって形成されている。
【００２２】
本実施形態の前記樹脂発泡ボード１０は、大きさ等が特に限定されるものではないが、一般的な水耕栽培用の栽培水槽の形成に利用される場合であれば、ハンドリングや強度などの観点から、通常、厚み１０ｍｍ〜５０ｍｍ程度とされ、一辺の長さが３００ｍｍ〜１５００ｍｍ程度とされる。
また、樹脂発泡ボード１０を形成しているＥＰＳの発泡倍率としては、軽量性や保温性の観点から、通常、５倍〜５０倍程度とされる。
さらに、前記突出部が側縁部の他の部分よりも突出している突出高さ（Ｌ）は、通常、２０ｍｍ〜６０ｍｍ、該突出部の前記最大幅（Ｗ１）は５０ｍｍ〜２００ｍｍとされ、基端における幅（Ｗ０）は、通常、前記最大幅（Ｗ１）の５０％〜８０％程度とされる。
なお、前記凹入部の形状は、連結作業及び連結解除作業を容易にさせることを勘案すると前記突出部を嵌合させた際に多少のクリアランスが形成されるように前記突出部よりも一回り大きな形状とすることが好ましい。
一方で、樹脂発泡ボードどうしを強固に連結させるということを勘案すると前記凹入部は、前記突出部の大きさと同じかそれ以下にして嵌合時には前記突出部を圧入させることが好ましい。
【００２３】
本実施形態の樹脂発泡ボード１０は、上記のような形状を有しているため、図２に示すように、複数の樹脂発泡ボード１０，１０’，１０”・・・を配列するのに際して、第一の樹脂発泡ボード１０の第一側縁突出部１１1を該第一の樹脂発泡ボード１０に隣接する第二の樹脂発泡ボード１０’の第二側縁凹入部１２2’に嵌合させ得るとともに該第二の樹脂発泡ボード１０の第二側縁突出部１１2’を前記第一の樹脂発泡ボード１０の第一側縁凹入部１２1に嵌合させ得る。
このような樹脂発泡ボード１０，１０’どうしの連結状態は、当然ながら、第二の樹脂発泡ボード１０’の（第一の樹脂発泡ボード１０と嵌合している側とは）反対側においても形成が可能なものであり、突出部１１1’，１１2”と凹入部１２1’,１２2”とを嵌合させて引き続き第三の樹脂発泡ボード１０”を前記第二の樹脂発泡ボード１０’に連結させうる。
さらに、本実施形態の樹脂発泡ボード１０は、図２における横方向のみならず、縦方向においても第三側縁部１０３と第四側縁部１０４との突出部１１と凹入部１２とを用いて連結可能である。
【００２４】
なお、本実施形態における樹脂発泡ボード１０は、４つの側縁部の全てに突出部１１と凹入部１２とを形成させているために、例えば、縦横に複数ずつ配列して栽培水槽の底板部を長板状に形成させた際にその外縁部には前記突出部１１や凹入部１２を存在させることになる。
このような底板部の外縁に沿って立設された状態となるように外枠部を設けて栽培水槽を形成させることも可能ではあるが、本実施形態においては、樹脂発泡ボードがスチレン系樹脂からなるビーズ発泡成形品であるために強度と軽量性とに優れているのみならず加工性にも優れており、底板部の外縁を真っ直ぐに切り揃えることが容易である。
即ち、樹脂発泡ボード１０を縦横に複数ずつ配列して外縁に突出部１１と凹入部１２とを備えた長板体を形成させた後に、最も外側の樹脂発泡ボード１０を前記凹入部よりも内側において側縁部と略平行に切断し（長板体の周囲の凸凹部分を切り落とし）、外縁が直線的に整えられた底板部を形成させることができる。
【００２５】
なお、本実施形態の樹脂発泡ボード１０は、前記のように９０度回転対称となっているために、例えば、図３に示すように半分、及び、４等分に切断することで底板部の外縁を直線的なものに調整するための調整部材を形成させることができる。
例えば、図３（ａ）、（ｂ）に示されているように、第三側縁部１０３の中心と第四側縁部１０４の中心とを結ぶ仮想線（Ｃ１）に沿って樹脂発泡ボード１０を半分に切断することで第一側縁突出部１１1、第一側縁凹入部１２1、第四側縁突出部１１4及び第三側縁凹入部１２3を備えた略長方形の切断体１０ａ（以下「半切体１０ａ」ともいう）と、第二側縁突出部１１2、第二側縁凹入部１２1、第三側縁突出部１１3及び第四側縁凹入部１２4を備えた略長方形の半切体１０ａとを得ることができこれらを前記調整部材とすることができる。
【００２６】
さらに、半切体１０ａの長辺側の中心どうしを結ぶ仮想線（Ｃ２）に沿って半切体１０ａを再び半分に切断して元の樹脂発泡ボード１０の４分の１の大きさを有する略正方形の切断体１０ｂ（以下「四半切体１０ｂ」ともいう）を形成させてこれらを前記調整部材とすることができる。
【００２７】
これらの調整部材の内、略長方形となった前記半切体１０ａには、２つの短辺に突出部１１と凹入部１２とがそれぞれ片方ずつ備えられており、２つの長辺の内の一方が前記切断によって直線的に形成されているとともに他方には元の樹脂発泡ボード１０と同様に突出部１１と凹入部１２とが対になって備えられている。
また、略正方形となった四半切体１０ｂは、一つの角部を介して隣接する２辺が直線的に形成され、前記角部と対角となる位置の角部を介して隣接する２辺の内の一辺には前記突出部１１が備えられ、他辺には凹入部が備えられている。
従って、図３（ｄ）に示すように、例えば、樹脂発泡ボード１０を縦横に複数ずつ配列して長板体を形成させた際に該長板体の外縁部を形成する樹脂発泡ボード１０に対して、長辺側の凹入部１２と突出部１１とを嵌合させて前記半切体１０ａを連結させることができ、該半切体１０ａの直線的な長辺側部分によって長板体の外縁を直線的なものに調整することができる。
また、隣接する半切体１０ａどうしは、短辺側の突出部１１と凹入部１２とを嵌合させて連結させることができるため、長板体の各辺において外縁を直線的なものとすることができる。
さらに、長板体の角部となる位置には四半切体１０ｂを配置することで直角に形成させることができる。
このようにして樹脂発泡ボード１０を配列することで栽培水槽の底板部を外縁が直線的に整えられた略長方形とすることができる。
【００２８】
前記のように樹脂発泡ボード１０の一部を切り落として外縁を直線的に整える方法と違って、この半切体１０ａや四半切体１０ｂを用いる方法は樹脂発泡ボード１０を無駄なく栽培水槽の形成に利用することができる点において優れているといえる。
【００２９】
なお、半切体１０ａを栽培水槽の底板部の周囲を直線的なものに調整するための調整部材に利用することができる点については、本実施形態において例示のごとく第一側縁突出部１１1と第二側縁突出部１１2とが実質的に同形状で１８０度回転対称となるように備えられているとともに第一側縁凹入部１２1と前記第二側縁凹入部１２2とが実質的に同形状で１８０度回転対称となるように樹脂発泡ボード１０に備えられている必要はない。
また、第一側縁突出部１１1及び第一側縁凹入部１２1とは実質的に同形状でなくても嵌合可能な形状であれば前記調整部材として利用可能であり、第二側縁突出部１１2及び第二側縁凹入部１２2も実質的に同形状でなくても嵌合可能な形状であれば前記調整部材として利用可能である。
【００３０】
即ち、図４に示すように前記第一側縁突出部１１1と前記第一側縁凹入部１２1とが互いに嵌合可能な形状を有し、これらが第一側縁部１０１の中心に対して対称となるように備えられており、且つ、前記第二側縁突出部１１2と前記第二側縁凹入部１２2とが互いに嵌合可能な形状を有し、これらが第二の側縁部の中心に対して対称となるように備えられていれば半切体１０ａを前記調整部材として有効利用可能である。
【００３１】
この図４について説明すると、この図に示した樹脂発泡ボード１０ｙは、第一側縁部１０１ｙの第一側縁突出部１１ｙ1と第一側縁凹入部１２ｙ1とが第一側縁部１０１ｙの中心（ＣＬ１）に対して対称位置に配置されており、しかも、第一側縁突出部１１ｙ1と第一側縁凹入部１２ｙ1とは、嵌合可能となっていながらもその形状を異ならせている。
また、第二側縁部１０２ｙの第二側縁突出部１１ｙ2と第二側縁凹入部１２ｙ2についても第二側縁部１０２ｙの中心（ＣＬ２）に対して対称位置に配置されており、しかも、第二側縁突出部１１ｙ2と第二側縁凹入部１２ｙ2とが形状を異ならせながらも嵌合可能となっている。
【００３２】
さらに、図４の樹脂発泡ボード１０ｙは、第一側縁突出部１１ｙ1と第二側縁突出部１１ｙ2とが形状を異ならせており、且つ、当該樹脂発泡ボード１０ｙを１８０度回転させた際に互いの位置が入れ替わるようには配置されていない。
即ち、これまで例示の樹脂発泡ボード１０は、１８０度回転させた際に、回転前に第一側縁突出部１１1が存在していた位置に第二側縁突出部１１2が位置するとともに回転前に第二側縁突出部１１2が存在していた位置に第一側縁突出部１１1が位置するように形成されていたが、この図４に示した樹脂発泡ボード１０ｙは、１８０度回転させた際に、回転前に第一側縁突出部１１ｙ1が存在していた位置に第二側縁突出部１１ｙ2が位置せず、当然ながら、回転前に第二側縁突出部１１ｙ2が存在していた位置に第一側縁突出部１１ｙ1が位置しないように形成されている。
【００３３】
しかしながら、例えば、この樹脂発泡ボード１０ｙを第三側縁部１０３ｙの中心と第四側縁部１０４ｙの中心とを結ぶ仮想線（Ｃ３）に沿って切断して半切体１０ｙａを形成させた場合には、第一側縁部１０１の側の半切体１０ｙａ1は、図４に示すように新たなる樹脂発泡ボード１０ｙと第一側縁部１０１において嵌合させることができる。
また、第二側縁部１０２の側の半切体１０ｙａ2も、図４に示すように新たなる樹脂発泡ボード１０ｙと第二側縁部１０２において嵌合させることができる。
そして、これらの半切体１０ｙａ1，１０ｙａ2によって外縁を直線状態に整えることができる。
【００３４】
栽培水槽の本体（水槽本体１００）については、図５に示すように、上記のごとく樹脂発泡ボード１０が配列されて形成された栽培水槽の底板部に対し、培養液を前記底板部１１０の外周縁部おいて堰き止めるための外枠部１２０をさらに設けることで形成させることができる。
なお、該外枠部１２０は、底板部１１０と同じく樹脂発泡体によって形成させることが前記水槽本体１００の保温性の点においては有利である。
この外枠部１２０は、例えば、前記樹脂発泡ボード１０の一辺の長さと同じ長さで、形成させる外枠部の高さと同じ幅を有する長板状の樹脂発泡体を前記樹脂発泡ボード１０とは別に形成させて作製することも可能であるが、図６（ａ：概略平面図）（ｂ：Ｘ−Ｘ’線矢視概略断面図）に示すように前記外枠部１２０となる起立部１３ｘを有する別の樹脂発泡ボード１０ｘ（以下、「起立部付樹脂発泡ボード１０ｘ」ともいう）を用いて形成させてもよい。
【００３５】
本実施形態における前記起立部付樹脂発泡ボード１０ｘは、第四側縁部に相当する箇所が直線的なものとなっているとともに該側縁部に沿って立設された板状の起立部１３ｘを有し、図６（ｃ）に示すように該起立部付樹脂発泡ボード１０ｘどうしを第一側縁部１０１ｘと第二側縁部１０２ｘとを当接させる形で連結することで、前記起立部１３ｘを連結方向に沿って連続させた状態とすることができる。
即ち、平面視長方形の水槽本体を形成させるのに際して、複数の起立部付樹脂発泡ボード１０ｘを前記起立部１３ｘが外側になるようにして長辺側に沿って並べて配置することで当該水槽本体の外枠部の長辺側を前記起立部１３ｘによって形成させることができる。
【００３６】
なお、前記起立部付樹脂発泡ボード１０ｘは、第一側縁部１０１ｘの突出部１１ｘ及び凹入部１２ｘと、第二側縁部１０２ｘの突出部１１ｘ及び凹入部１２ｘとが１８０度回転対称となるように形成されているために起立部１３ｘのない前記樹脂発泡ボード１０と同様に第三側縁部１０３ｘの中心と第四側縁部１０４ｘの中心とを結ぶ線に沿って切断した半切体１０ｘａを調整部材として利用することができ、水槽本体の底板部１１０を長手方向両端部（短辺側）において直線的なものとし得る。
【００３７】
この図６（ｃ）においては、起立部付樹脂発泡ボード１０ｘを起立部１３ｘのない前記樹脂発泡ボード１０と併用する場合を例示しているが、この起立部１３ｘのない樹脂発泡ボード１０を用いることなく起立部付樹脂発泡ボード１０ｘだけで水槽本体を形成させることも可能である。
【００３８】
なお、図７（ａ）〜（ｃ）に示すように、栽培水槽の底板部外縁を直線的なものとする上においては、前記起立部付樹脂発泡ボード１０ｘや起立部１３ｘのない樹脂発泡ボード１０を切断して半切体を形成させるのに際して、必ずしも、２等分となるように切断しなくても良く、側縁部に略平行な線分Ｃｘに沿って切断すれば、２等分線Ｃから離れた位置で起立部付樹脂発泡ボード１０ｘや起立部１３ｘのない樹脂発泡ボード１０を切断してもよい。
【００３９】
また、例えば、図８（ａ）に示すように側縁部に略平行し、互いに離間する２本の線分に沿って樹脂発泡ボードを切断して３つの長方形の切断体１０ａ１，１０ａ２，１０ａ３を形成させ、一長辺側に突出部１１と凹入部１２とを対で備えた両端の切断体１０ａ１，１０ａ３を底板部１１０の外縁を直線的なものにさせるための調整部材として用いることも可能である。
なお、起立部１３ｘのない樹脂発泡ボード１０については、調整部材として用いられなかった中央部の切断体１０ａ２が長板状に切り出されることになるために、これを外枠部１２０の形成用に利用することも可能である。
【００４０】
以上のように、本実施形態の樹脂発泡ボードを用いることで農業用に広く用いられている黒色ポリオレフィン系樹脂シートのような薄手の樹脂フィルムを栽培水槽に水密性を発揮させるための防水性シートに利用しても、樹脂発泡ボードどうしの間に隙間が形成されることが抑制されることから漏水のおそれも抑制されることになる。
しかも、本実施形態の樹脂発泡ボードは、保温性に優れた栽培水槽を、例えば、長さが１０ｍを超え、幅が２ｍを超えるような大型のものにするのに際して各種調整が容易であり利便性に優れたものとすることができる。
【００４１】
なお、本実施形態の樹脂発泡ボード１０，１０ｘを用いて栽培水槽の水槽本体を形成させるのに際しては、上記のような変更点以外にも種々の変更を加えることができる。
さらに、本発明の樹脂発泡ボードは、上記例示の樹脂発泡ボード１０，１０ｘに限定されるものでもなく、各種変更を加えることができる。
例えば、本実施形態においては、側縁部を厚み方向全体にわたって突出、或いは、凹入させている突出部や凹入部を備えた樹脂発泡ボードを例示しているが、例えば、図９に示すように、樹脂発泡ボードの表面側の一部を外方に突出させた突出部１１ｚと、同様に樹脂発泡ボードの表面側の一部を凹入させた凹入部１２ｚとを有する樹脂発泡ボード１０ｚも本発明の意図する範囲のものである。
また、本実施形態の樹脂発泡ボードは、突出部や凹入部の形状や数も適宜変更可能であり、材質もスチレン系樹脂発泡ビーズではなく、例えば、ウレタン樹脂やアクリル樹脂製であってもよい。
また、これ以外に水耕栽培、及び、樹脂発泡ボードに係る技術事項で従来公知の事項については、本発明に採用可能なことはいうまでもなく当然の事柄である。
【符号の説明】
【００４２】
１０：樹脂発泡ボード、１１：突出部、１２凹入部、１００：（栽培水槽の）水槽本体、１１０：底板部
【図１】
0006002447.tif 000002
【図２】
0006002447.tif 000003
【図３】
0006002447.tif 000004
【図４】
0006002447.tif 000005
【図５】
0006002447.tif 000006
【図６】
0006002447.tif 000007
【図７】
0006002447.tif 000008
【図８】
0006002447.tif 000009
【図９】
0006002447.tif 000010